(57)【要約】【課題】開封が容易で、開封時に余分な廃棄物が発生せず、かつ開封の痕跡が明瞭に残り不正開封を見逃すことがなく、開封方法が一通りに決まるため開封時の混乱を防げ、開封時の力の掛かり方がジッパーの破断し易い方向に掛かるため設計通りの破断が容易にでき、包装容器の製造が容易で、内容物の充填時に破損、変形、故障の発生がない包装容器を提供することができた。とくに破断停止構造を第２予定破断線に有するため自然な動作で容易に帯状部分が分離しないジッパーの開封ができた。【解決手段】少なくとも一つの包装容器の部位に第１予定破断線および第２予定破断線を有するジッパーが設けられ、第２予定破断線に破断終止構造を有し、両予定破断線に挟まれた帯状部分の端を持って引っ張り開封する際に帯状部分が包装容器本体から分離しないことを特徴とする包装容器による。【選択図】図１
2016137940.tif 000002
【特許請求の範囲】
【請求項１】
包装容器の部位に開封用のジッパーが設けられ、該ジッパーは貫通部分および非貫通部分が交互に配列された第１予定破断線および第２予定破断線で構成され、開封時に第１予定破断線および第２予定破断線に挟まれた帯状部分の端部を持って引っ張ることにより両破断線が破断されるが、第１予定破断線の破断により前記部位が二つ以上に分離され、第２予定破断線の破断によっても前記部位の一端が破断されず、帯状部分が包装容器本体から分離しない包装容器であって、第２予定破断線に破断停止構造を有することを特徴とする包装容器。
【請求項２】
破断停止構造が２次元の形状の貫通構造又は凹凸構造、および第２予定破断線の破断方向に対し３０〜１５０度傾いた方向の貫通構造又は凹凸構造のいずれかであることを特徴とする請求項１に記載の包装容器。
【請求項３】
第２予定破断線の貫通部分が破断方向に平行な直線部分および直線部分の前端に鈍角で斜めに伸びた前斜線部を有し、第２予定破断線の貫通部分の少なくとも一部の前斜線部が第１予定破断線に対し反対方向を向いていることを特徴とする請求項１又は２に記載の包装容器。
【発明の詳細な説明】
【技術分野】
【０００１】
本発明は容易に開封でき、開封により廃棄物の数が増えず、開封されたことが明瞭に分かり収納された商品が輸送、保管、展示中に抜き取り、すり替え、異物差し入れ等の不正開封を防止できる包装容器に関する。
【背景技術】
【０００２】
医薬品、食品の包装の分野においては商品が輸送、保管、展示中に抜き取り、すり替えが行われる不正開封による被害が多発している。これらの不正開封を防止しかつ開封を容易にするためジッパーが用いられているが、従来のジッパーは開封時に帯状の断片が分離され廃棄物の個数が増えるため余分な廃棄作業が必要になり、特に救急医療の現場では問題になっている。このため通常時と緊急時で開封方法を変えるジッパーを有し、緊急時には帯状の断片が分離しない開封方法を用いる包装容器が提案されている（特許文献１）。この技術は通常の開封方法と、緊急時の開封方法が異なるため混乱し適切に開封できない問題がある。またジッパーで開封する際に摘み片（前記の帯状の断片）が分離しない技術が提案されている（非特許文献１）。この技術はジッパーの湾曲した部分に長い連続した切れ目を有するため包装容器の製造時および保管時、または商品を包装容器に充填する際にこの切れ目部分が引っかかり破断する、又は包装容器が変形する問題がある。またジッパーを設ける包装容器の部位の幅を広くする必要があり包装容器の形状が制限され多くの包装容器には使用できない問題がある。また商品充填時に平たく折り畳まれた包装容器を両側から押すことにより立ち上げるが、長い切り込み部分があると包装容器が反り易く立ち上がらない問題がある。
【先行技術文献】
【特許文献】
【０００３】
【特許文献１】特開２０１４−９７８４６号公報
【非特許文献】
【０００４】
【非特許文献１】意匠登録１４８２６４４号公報
【発明の概要】
【発明が解決しようとする課題】
【０００５】
開封が容易で、開封時に余分な廃棄物が発生せず、かつ開封の痕跡が明瞭に残り不正開封を見逃すことがなく、開封方法が一通りに決まるため開封時の混乱を防げ、開封時の力の掛かり方がジッパーの破断し易い方向に掛かるため設計通りの破断が容易にでき、包装容器の製造が容易で、内容物の充填時に破損、変形、故障の発生がない包装容器を提供することである。
【課題を解決するための手段】
【０００６】
本発明は、
（１）包装容器の部位に開封用のジッパーが設けられ、該ジッパーは貫通部分および非貫通部分が交互に配列された第１予定破断線および第２予定破断線で構成され、開封時に第１予定破断線および第２予定破断線に挟まれた帯状部分の端部を持って引っ張ることにより両破断線が破断されるが、第１予定破断線の破断により前記部位が二つ以上に分離され、第２予定破断線の破断によっても前記部位の一端が破断されず、帯状部分が包装容器本体から分離しない包装容器であって、第２予定破断線に破断停止構造を有することを特徴とする包装容器。
（２）破断停止構造が２次元の形状の貫通構造又は凹凸構造、および第２予定破断線の破断方向に対し３０〜１５０度傾いた方向の貫通構造又は凹凸構造のいずれかであることを特徴とする第１項に記載の包装容器。
（３）第２予定破断線の貫通部分が破断方向に平行な直線部分および直線部分の前端に鈍角で斜めに伸びた前斜線部を有し、第２予定破断線の貫通部分の少なくとも一部の前斜線部が第１予定破断線に対し反対方向を向いていることを特徴とする第１項又は２項に記載の包装容器。
、である。
【０００７】
本発明の包装容器とは医薬品、化粧品、食品等の商品を内部に保管し、緩衝作用があり商品の保護をする包装容器である。一枚のブランク板を打ち抜き、折りたたむことで形成される包装容器が好ましい。板紙等を所定の展開図の形状に打ち抜き、折り目の罫線を施し、折り目部分で各部を折りたたみ、さらに必要ならば接着剤で接着させて作成される。包装容器の好ましい形状はサック箱、ワンタッチ底、地獄底、キャリーケース、フォーコーナーであり、サック箱およびワンタッチ底が特に好ましい。包装容器の材質に特に制限はなく板紙、段ボールを用いることができ、板紙がより好ましい。板紙としてはノーコートボール、コートボール、マニラボール、黄色板紙、色板紙を用いることができるがノーコートボール、コートボールがより好ましく、コートボールが強度が高い点、および印刷適正に優れている点で最も好ましい。紙の厚さは坪量で１５０〜７５０ｇ／ｍ２が好ましく、２３０〜６８０ｇ／ｍ２がさらに好ましく、２３０〜５００ｇ／ｍ２が最も好ましい。紙の坪量が小さすぎると包装容器の強度が不足し収納された商品を十分に保護できず、また大きすぎると加工が困難であり、価格も高くなり好ましくない。
【０００８】
少なくとも一つの包装容器の部位に開封用のジッパーが設けられる。該部位とは面板、フラップ、タック等の包装容器の外面を形成する部位である。開封用ジッパーが設けられる部位はジッパーによる部位の破断により封緘された包装容器が開封できる部位ならばいずれでも良い。
【０００９】
本発明の開封用ジッパーについて図１で説明する。ジッパー２は第１予定破断線３、第２予定破断線４およびこれらの両予定破断線３，４に挟まれた帯状部分５からなる。両予定破断線ともに貫通部分６（切り込み部分）および非貫通部分７が交互に配列された構造である。貫通部分６は通常トムソン刃に圧力を掛け形成される。帯状部分５の端部９を持ち引っ張ることにより両予定破断線が破断し、第１予定破断線３の破断により包装容器の部位が分離され包装容器が開封される。第２予定破断線４の破断によっても前記部位の一端が破断されず、帯状部分が包装容器本体から分離しない。
図２に開封される前の本発明の包装容器１を、図３にジッパーが破断した状態の本発明の包装容器１を示した。図３に示したように開封操作で帯状部分５が包装容器１から分離しない。そのため、開封作業により余分な廃棄物が発生せず好ましい。特に緊急時にはゴミの始末をする余裕がないため、帯状部分５が包装容器本体から分離しないことは大きな利点である。
【００１０】
第２予定破断線４の終端部に設ける破断停止構造８とは、破断が停止される構造であれば特に限定されるものではない。好ましい破断停止構造としては２次元面積を有する貫通構造又は凹凸構造、第２予定破断線の破断方向に対し３０〜１５０度傾いた方向の貫通構造又は凹凸構造がある。
【００１１】
２次元面積を有する貫通構造の一例を図１ｂの８ｂに示した。２次元面積を有する貫通構造又は凹凸構造の好ましい形状は円形、楕円形、円の一部、楕円の一部、多角形、四角形、三角形がある。より好ましい形状としては円形、楕円形、円の一部、楕円の一部のように周縁形状に鋭角の折れ曲がりを持たない形状である。鋭角の折れ曲がりを持たないことにより破断時の応力が拡散され破断の進行を停止し易くなり好ましい。２次元面積を有する貫通部分又は凹凸構造の面積は０．７〜２００ｍｍ2が好ましく、１．５〜５０ｍｍ2がより好ましく、４〜５０ｍｍ2がより好ましい。。貫通構造は型又は刃で包装材料を打ち抜くことで形成できる。貫通構造は一つの連続した貫通構造および、複数の孔の集合体でもどちらでも好ましい。製造の容易さおよび開封後の見映えの観点から連続した貫通構造の方がより好ましい。また凹凸構造は型を包装材料に押し当てることで形成できる。凹凸構造は型を押し当てることで包装容器の部材の片側が凸になり、反対側が凹んだ構造である。凸部の高さは０．１〜２ｍｍが好ましく、０．５〜１．５ｍｍがより好ましい。。高さが低すぎると破断停止の力が弱くなり、また高すぎると製造時に破損の原因になり好ましくない。凸部は包装容器の外面又は内面どちらにあっても好ましいが、外面にある方がより好ましい。また凹凸構造は周縁部が凸でその内側が凹であるもの、および逆に周縁部が凹であるものも好ましいが、周縁部が凸でその内側が凹であるものの方がより好ましい。
【００１２】
また破断停止構造の別の好ましい構造は第２予定破断線の破断方向に対し３０〜１５０度傾いた方向の貫通構造又は凹凸構造である。図１ａの８ａに角度αを持った貫通構造の一例を示した。第２予定破断線４の破断方向とは第２予定破断線の貫通構造と非貫通構造の繰り返し単位の最終の繰り返し単位の接線方向である。角度αは３０〜１５０度が好ましく、４０〜１３０度がより好ましい。角度αがこの範囲より大きくても、小さくても貫通構造又は凹凸構造の方向が破断方向に平行に近くなり破断を停止させる力が小さくなり好ましくない。貫通構造又は凹凸構造の形状としては切れ目構造又はミシン目のような短い貫通部分を有する形状も好ましい。破断停止構造は第２予定破断線4の貫通部分6と連接していても、していなくてもどちらでも好ましい。該貫通構造又は該凹凸構造の幅は０．５〜５ｍｍが好ましく、１〜３ｍｍがより好ましい。幅が狭すぎると破断停止の力が弱くなり、また広すぎると包装容器の製造時に破損の原因になり好ましくない。該貫通構造又は該凹凸構造の長さは２〜１０ｍｍが好ましく、３〜８ｍｍがより好ましい。長さが短かすぎると破断停止の力が弱くなり、また長すぎると包装容器の見映えが悪くなり好ましくない。
【００１３】
好ましい破断停止構造は２次元面積を有する貫通構造又は凹凸構造、第２予定破断線の破断方向に対し３０〜１５０度傾いた方向の貫通構造又は凹凸構造である。貫通構造の方が凹凸構造より破断停止力が大きくより好ましい。２次元面積を有する貫通構造の方が第２予定破断線の破断方向に対し３０〜１５０度傾いた方向の貫通構造より破断停止力が大きくより好ましい。
【００１４】
第１予定破断線３と第２予定破断線４の平均間隔は３〜３０ｍｍが好ましく、４〜２０ｍｍがより好ましく、４〜１５ｍｍがさらに好ましい。間隔が狭いと開封時にジッパーの帯状部分５が途中で裂けジッパーの破断が途中で止まるため好ましくない。また広すぎるとジッパーを設ける包装容器１の部位の面積を大きくする必要が生じること、および帯状部分５の端部９を手で引っ張る際にジッパーの破断の方向が変動し易く破断が途中で止まり易く好ましくない。ジッパーの長さは勿論包装容器の大きさに依存するが１０〜３００ｍｍが好ましい。
【００１５】
両予定破断線３，４の貫通部６のサイズは４〜２５ｍｍが好ましく、６〜２０ｍｍがより好ましく、６〜１５ｍｍが特に好ましい。このサイズが小さ過ぎるとトムソン刃での加工が困難になり貫通しない故障が起き、またジッパーを引っ張る際の抵抗が大きくなり好ましくない。また大き過ぎると包装容器の強度が低下するため好ましくない。両予定破断線３，４の非貫通部７のサイズ（直近の貫通部間の最短直線距離で定義する）は１〜５ｍｍが好ましい。
【００１６】
本発明の開封用ジッパーは第２予定破断線４の最長の貫通部分６の長さが、貫通部分６の最長および最短を除いた平均長に対し１〜３倍であることが好ましい。第２予定破断線４の貫通部分６の長さとは連続した貫通部分６の形状に沿った長さであり、形状が曲線の場合は曲線の形状に沿った長さである。また直線で折れ曲がっている場合は繋がった貫通部分の直線部の合計の長さである。図１ｃの様な形状の場合はｌ1，ｌ2，ｌ3，ｌ4の総和である。貫通部分６の形状は直線でも曲線形状でも好ましく用いることができる。第２予定破断線４の最長の貫通部分の長さが長すぎると包装容器の部位の強度が低下し、包装容器の製造、保管、輸送又は商品の充填時に破損することがあり好ましくない。また商品充填時に平たく折り畳まれた包装容器を両側から押すことにより立ち上げ立体的な形にするが、長い貫通部分があると包装容器が反り易く立ち上がらない問題があり好ましくない。
【００１７】
第２予定破断線４の貫通部分が図５ｇ記載のように破断方向に平行な直線部分３１および前記直線部分の前端に鈍角で斜めに伸びた前斜線部３２を有し、第２予定破断線４の貫通部分の少なくとも一部の前斜線部３２が第１予定破断線３に対し反対方向を向いていることが好ましい。これにより第１予定破断線３の方が第２予定破断線４より早く破断され包装容器の部位を容易に分離することができ好ましい。
【００１８】
両予定破断線３，４の貫通部分と非貫通部分の繰り返し単位１０の長さは同一予定破断線の中で異なっても良い。１本の予定破断線には繰り返し単位が４個以上あることが好ましい。第１予定破断線３の貫通部分と非貫通部分の繰り返し単位の最長部分を除いた平均長が、第２予定破断線４の前記平均長の１．０〜２．５倍であることが好ましく、１．２〜２．０倍がより好ましく、１．４〜１．８倍がさらに好ましい。これにより第２予定破断線４よりも第１予定破断線３の破断が早くなり、第１予定破断線３の破断で部位を二つ以上に分離し、かつ第２予定破断線４の破断によっては分離せず、ジッパーの帯状部分５が包装容器１本体から分離しないため好ましい。この平均長の比の値が大きすぎると包装容器１の強度が低下し好ましくない。また小さ過ぎると第１予定破断線３の破断が第２予定破断線４の破断速度より十分早くならず、第１予定破断線３の破断を第２予定破断線４の破断終了までに完了させることができなくなり開封できないことがあり好ましくない。
両予定破断線３，４の繰り返し単位１０の形状の好ましい例を図５に示した。両予定破断線の繰り返し単位の形状は同一でも異なっていても良い。また両予定破断線ともに複数の異なる繰り返し単位の形状を有することも好ましい。
【００１９】
第２予定破断線４が第１予定破断線３に対し開封作業者から見て下方側又は手前側に配置されていることが好ましい。作業者が帯状部分５を引っ張る際に下方側、又は手前側に力を入れやすいので、第２予定破断線４が下方側又は手前側にある方が、第１予定破断線３を確実に破断でき好ましい。
【００２０】
包装容器１の封緘方法は特に制限はないが、差込片を案内スリットに差込む方式、封緘テープを貼付する方式、接着剤で接着する方式、ホチキス等機械的手段で接着する方式を用いることができる。
【００２１】
ジッパーを摘み易くするためにジッパーの端部９又はその隣接部分に指が入る開口部が設けられることが好ましい。開口部の形状に制限は無いが大人の指が入る大きさ、形状が必要である。開口部の高さは３〜２０ｍｍが好ましく、５〜１５ｍｍがより好ましく、７〜１２ｍｍがさらに好ましい。高さが小さ過ぎると指が入らず、大き過ぎると包装容器の強度が低下し破損しやくなるため好ましくない。開口部の幅は１０〜４０ｍｍが好ましく、１２〜３０ｍｍがより好ましく、１５〜２５ｍｍがさらに好ましい。幅が小さ過ぎると指が入らず、大き過ぎると包装容器の強度が低下し破損しやくなるため好ましくない。形状は円弧の一部であることが指の入れ易さ、包装容器の強度の観点で好ましい。
【００２２】
本発明の包装容器の一例を図４で説明する。外側上面板４１に開封用ジッパー２があり、ジッパーは第２予定破断線４の終端に破断停止構造８ａを有している。左右側面板４３，４５、正面板４６、裏面板４４を罫線で折り曲げ、糊代４７の表側に接着剤を塗り右側面板４３の裏側に貼り付け、さらに上面および下面フラップ４８ａ，ｂ，ｃ，ｄを罫線で折り曲げた。同時に糊代底片５０ａ，ｂの裏面に糊を塗布して、各々下面フラップ４９ａ，ｂの表面に接着した。下面板４９ａ，ｂを包装容器の内側から下方に押し下げることで立体的な箱を形成し、商品を収納した後に内側上面板４２を罫線で折り曲げ、さらに外側上面板４１を内側上面板４２の上に接着して封緘する。外側上面板の展開図上の上端部の裏側に接着剤を塗布し、内側上面板４２展開図上の下端部に貼り付けた。ジッパー２の端部９を摘み引っ張り第１予定破断線３を破断すると上面板４１が二つに分離し開封できる。なおその際に第２予定破断線４は破断停止構造８ａで破断が止まるため、帯状部分５が包装容器１から分離せず好ましい。
【発明の効果】
【００２３】
開封が容易で、開封時に余分な廃棄物が発生せず、かつ開封の痕跡が明瞭に残り不正開封を見逃すことがなく、開封方法が一通りに決まるため開封時の混乱を防げ、開封時の力の掛かり方がジッパーの破断し易い方向に掛かるため設計通りの破断が容易にでき、包装容器の製造が容易で、内容物の充填時に破損、変形、故障の発生がない包装容器を提供することができた。とくに破断停止構造を第２予定破断線に有するため自然な動作で容易に帯状部分が分離しないジッパーの開封ができた。ジッパーの帯状部分が包装容器から分離しないため、帯状部分を押しこみ開封された包装容器を再封することができ、内部へのゴミの混入を防止でき、さらに開封後も収納した商品の十分な保護が可能であり、しかも帯状部分が変形しているため開封済みであることが明瞭に分かり収納物の不正な抜き取り、入れ替え、異物混入を防止でき好ましかった。
【図面の簡単な説明】
【００２４】
【図１】本発明の実施形態の一つである開封用ジッパーである。
【図２】本発明の実施形態の一つであ包装容器の開封前の斜視図である。
【図３】図２の包装容器の開封用ジッパーを破断した状態の斜視図である。
【図４】図２の包装容器の展開図である。
【図５】本発明に用いられる第1および第２予定破断線の形状例である。
【符号の説明】
【００２５】
１  包装容器、２  開封用のジッパー、３  第１予定破断線、４  第２予定破断線、５  帯状部分、６  貫通部分、  ７  非貫通部分、  ８、８ａ、８ｂ  破断停止構造、９  端部、  １０  繰り返し単位、  １１  破断方向，  ３１  直線部、  ３２  前斜線部、３３  後斜線部，４１  外側上面板、          ４２  内側上面板、  ４３  左側面板、  ４４  裏面板、  ４５  右側面板、４６  正面板、  ４７  糊代、４８ａ，ｂ  上面フラップ，４８ｃ，ｄ  下面フラップ、  ４９ａ，ｂ  下面板、  ５０ａ，ｂ  糊代底辺          
【図１】
2016137940.tif 000003
【図２】
2016137940.tif 000004
【図３】
2016137940.tif 000005
【図４】
2016137940.tif 000006
【図５】
2016137940.tif 000007